(57)【要約】【課題】吐出液の量、吐出速度のコントロールが容易に行えて、しかも構造が簡単で容易に製造でき、また、安価に提供できる塗布容器を提案する。【解決手段】頂部に吐出孔９を開口した筒状をなし、内部上部に吐出弁30を備え、周壁３の一部を蛇腹に形成した筒状の容器体Ａと、蛇腹10上方の容器体Ａに上端部を固定し、蛇腹10下方の容器体Ａの押込みが可能な状態で容器体Ａ外周に垂設したカバー筒Ｃとを備えている。また、ストッパーＤにより蛇腹10の収縮の防止或いは防止解除を司るロック機構を備えており、不使用時にはロックしておけば液の漏出を防止でき、また、使用時にはロック解除により液の吐出が可能となる。【選択図】図１
2009107667.tif 000002
【特許請求の範囲】
【請求項１】
頂部に吐出孔９を開口した筒状をなし、内部上部に吐出弁30を備え、周壁３の一部を蛇腹10に形成した筒状の容器体Ａと、蛇腹10上方の容器体Ａに上端部を固定し、蛇腹10下方の容器体Ａの押込みが可能な状態で容器体Ａ外周に垂設したカバー筒Ｃとを備え、蛇腹10の収縮の防止及び開放を司るロック機構を備えていることを特徴とする塗布容器。
【請求項２】
ロック機構を、容器体Ａの蛇腹10形成位置の環状窓11に、カバー筒Ｃの嵌合孔42を介して着脱可能に嵌合させたストッパーを設けて構成した請求項１記載の塗布容器。
【請求項３】
ストッパーＤを、嵌合孔42を介して環状窓11に嵌合させた嵌合部50と、嵌合部50の両側よりそれぞれ延設して容器体Ａ外面に嵌合させた腕板部51と、嵌合部50の上面或いは下面の外側縁部より突設してカバー筒Ｃ外面に当接係止させた係止板部52とで構成した請求項２記載の塗布容器。
【請求項４】
ロック機構を、蛇腹10の収縮を防止する係止位置から蛇腹10の収縮が可能な係止解除位置までの可逆的な移動が可能にカバー筒Ｃに嵌合させたストッパーＤを設けて構成した請求項１記載の塗布容器。
【請求項５】
ストッパーＤを、カバー筒Ｃに穿設した水平方向に延びるスライド溝43にスライド可能に嵌合させ、且つ、内側下面を蛇腹10部分外方の上向き段部20に当接係止させたロック状態から、スライド溝43をスライドさせた後、上向き段部20に穿設した第１係止溝21及びスライド溝43に連設した第２係止溝44に嵌合下降させたロック開放状態への可逆的な移動が可能に構成した請求項４記載の塗布容器。
【請求項６】
吐出弁30を、容器体Ａ内上部に張設した柔軟で弾力性に富む材質で形成された遮蔽壁Ｂに設けたスリットとして構成した請求項１乃至請求項５のいずれかに記載の塗布容器。
【請求項７】
容器体Ａが周壁３と別体に形成された底部材A1を備えている請求項１乃至請求項６のいずれかに記載の塗布容器。
【発明の詳細な説明】
【技術分野】
【０００１】
本発明は塗布容器に関する。
【背景技術】
【０００２】
塗布容器として、収容液を吐出して頂部で引き延ばす如く構成したものが種々提案されている。（例えば、特許文献１参照）
【０００３】
上記塗布容器は、内部上部にシリンダ筒を備えるとともに、シリンダ筒内の頂部に吐出口を開口し、また、周壁下部に傾斜上昇する切溝を穿設した容器体と、シリンダ筒内周に摺動上昇可能に周縁部を嵌合させた可動底壁と、容器体外周下部に回動可能に嵌合させるとともに、切溝を摺動上昇する連結桟を介して可動底壁と連動させた操作筒とを備え、回動筒を回動させることにより可動底壁を回動上昇させて収納液を吐出口より吐出する如く構成している。
【特許文献１】特開２００３−２２６３７３号公報
【発明の開示】
【発明が解決しようとする課題】
【０００４】
上記塗布容器は、可動底壁を比較的弱い力で上昇させることができ、吐出液の量，吐出速度のコントロールが容易な優れたものである。但し、構造が複雑な点に改良の余地がある。
【０００５】
本発明は上記した点に鑑みてなされたもので、吐出液の量，吐出速度のコントロールが容易に行えてしかも構造が簡単で容易に製造でき、また、安価に提供できる塗布容器を提案する。
【課題を解決するための手段】
【０００６】
第１の手段として、以下の通り構成した。即ち、頂部に吐出孔９を開口した筒状をなし、内部上部に吐出弁30を備え、周壁３の一部を蛇腹10に形成した筒状の容器体Ａと、蛇腹10上方の容器体Ａに上端部を固定し、蛇腹10下方の容器体Ａの押込みが可能な状態で容器体Ａ外周に垂設したカバー筒Ｃとを備え、蛇腹10の収縮の防止及び開放を司るロック機構を備えている
【０００７】
第２の手段として、以下の通り構成した。即ち、前記第１の手段に於いて、ロック機構を、容器体Ａの蛇腹10形成位置の環状窓11に、カバー筒Ｃの嵌合孔42を介して着脱可能に嵌合させたストッパーを設けて構成した。
【０００８】
第３の手段として、以下の通り構成した。即ち、前記第２の手段に於いて、ストッパーＤを、嵌合孔42を介して環状窓11に嵌合させた嵌合部50と、嵌合部50の両側よりそれぞれ延設して容器体Ａ外面に嵌合させた腕板部51と、嵌合部50の上面或いは下面の外側縁部より突設してカバー筒Ｃ外面に当接係止させた係止板部52とで構成した。
【０００９】
第４の手段として、以下の通り構成した。即ち、前記第１の手段に於いて、ロック機構を、蛇腹10の収縮を防止する係止位置から蛇腹10の収縮が可能な係止解除位置までの可逆的な移動が可能にカバー筒Ｃに嵌合させたストッパーＤを設けて構成した。
【００１０】
第５の手段として、以下の通り構成した。即ち、前記第４の手段に於いて、ストッパーＤを、カバー筒Ｃに穿設した水平方向に延びるスライド溝43にスライド可能に嵌合させ、且つ、内側下面を蛇腹10部分外方の上向き段部20に当接係止させたロック状態から、スライド溝43をスライドさせた後、上向き段部20に穿設した第１係止溝21及びスライド溝43に連設した第２係止溝44に嵌合下降させたロック開放状態への可逆的な移動が可能に構成した。
【００１１】
第６の手段として、以下の通り構成した。即ち、前記第１の手段乃至第５の手段のいずれかの手段に於いて、吐出弁30を、容器体Ａ内上部に張設した柔軟で弾力性に富む材質で形成された遮蔽壁Ｂに設けたスリットとして構成した。
【００１２】
第７の手段として、以下の通り構成した。即ち、前記第１の手段乃至第６の手段のいずれかの手段に於いて、容器体Ａが周壁３と別体に形成された底部材A1を備えている。
【発明の効果】
【００１３】
本発明の塗布容器１は、ロック機構を解除して容器体Ａ底部を押し込むという簡単な操作により液の吐出を行え、吐出した液は頂部表面で引き延ばすことができて使い勝手が良い。また、容器体Ａ底部を押し込むことで収容液の吐出を行えるため、手の感触で吐出量，吐出速度等をコントロールできる利点がある。また、不使用時はロック機構の存在で蛇腹10が収縮する虞れがなく、不用意な液の漏出等を確実に防止できるものである。更に、構造も簡単で安価に製造できる利点も兼ね備えている。
【００１４】
また、容器体Ａの蛇腹10形成位置の環状窓11に、カバー筒Ｃの嵌合孔42を介して着脱可能に嵌合させたストッパーを設けてロック機構を構成した場合には、ロック解除及びロック付与が簡単に行える。
【００１５】
嵌合孔42を介して環状窓11に嵌合させた嵌合部50と、嵌合部50の両側よりそれぞれ延設して容器体Ａ外面に嵌合させた腕板部51と、嵌合部50の上面或いは下面の外側縁部より突設してカバー筒Ｃ外面に当接係止させた係止板部52とでストッパーＤを構成した場合には、各腕板部51を両側から掴んで簡単に取り外すことができる。また、装着に当たって係止板部52の存在で嵌合部50が必要以上に嵌合孔42内に侵入するのを防止できる。
【００１６】
ロック機構を、蛇腹10の収縮を防止する係止位置から蛇腹10の収縮が可能な係止解除位置までの可逆的な移動が可能にカバー筒Ｃに嵌合させたストッパーＤを設けて構成した場合には、ストッパーＤが常時カバー筒Ｃに嵌合されているため、紛失する等の不都合がない。
【００１７】
カバー筒Ｃに穿設した水平方向に延びるスライド溝43にスライド可能に嵌合させ、且つ、内側下面を蛇腹10部分外方の上向き段部20に当接係止させたロック状態から、スライド溝43をスライドさせた後、上向き段部20に穿設した第１係止溝21及びスライド溝43に連設した第２係止溝44に嵌合下降させたロック開放状態への可逆的な移動が可能にストッパーＤを構成した場合には、同様にストッパーの紛失の虞れがなく、また、係止位置から係止解除位置までのルートが単純で円滑な移動が可能となる。
【００１８】
容器体Ａ内上部に張設した柔軟で弾力性に富む材質で形成された遮蔽壁Ｂに設けたスリットとして吐出弁30を構成した場合には、遮蔽壁Ｂにより収容室Ｒを画成することができる便利があり、また、その構造も簡単で製造が容易となる利点もある。更に、液の吐出時に遮蔽壁Ｂは先端側へ膨出する如く弾性変形してスリットを開くため、吐出量、吐出速度のコントロールがより行い易くなる。
【００１９】
容器体Ａが周壁３と別体に形成された底部材A1を備えている場合には、底部からの液の充填が可能となる。
【発明を実施するための最良の形態】
【００２０】
以下、本発明の実施例の形態を図面を参照して説明する。
【００２１】
図１乃至図３は本発明の塗布容器１の一例を示すもので、塗布容器１は比較的流動性の大きい粘性液体を収容液の好ましい対象としている。塗布容器１は、容器体Ａと、遮蔽壁Ｂと、カバー筒Ｃと、ストッパーＤと、キャップＥとを備えている。
【００２２】
容器体Ａは、底壁２周縁より周壁３を立設し、周壁３の外周面は上部に於いて第１段部４及び第２段部５により二段階に縮径されており、また、内周面は上部に於いて下向き段部６を介して上端部を縮径している。第１段部４及び第２段部５間の周壁３外面にはカバー筒Ｃを固定するための突条７を周設している。更に、周壁３の上端縁より球面状に上方へ突出する頂壁８を延設し、頂壁８の中央部に吐出孔９を穿設している。
【００２３】
また、周壁３上部の一部を蛇腹10に形成している。蛇腹10の形成部分は、周壁３を貫通する環状窓11の内周縁上下に蛇腹10の上端縁及び下端縁をそれぞれ一体に連結している。環状窓11は、その外縁部上下より外方へ突設した上部突条12及び下部突条13により奥行きを広げている。各上部突条12及び下部突条13はカバー筒Ｃと容器体Ａとの間に隙間を設ける役割も果たしている。尚、本例では容器体Ａを、底部材A1と、中間部材A2と、上部材A3との３部材で構成しており、底部材A1を中間部材A2に嵌着する前に液を底部から充填できる如く構成しており、底部材A1と、中間部材A2と、上部材A3とはそれぞれ合成樹脂により形成されている。本発明の容器体Ａは本例の如く全体を合成樹脂で構成しても、或いは、蛇腹10及びその取付部分を柔軟な材質等で構成することも可能である。その場合インサート成形を採用して容器体を形成すると良い。
【００２４】
遮蔽壁Ｂは柔軟で弾力性に富み、シリコーンゴムにより形成されている。また、下向き段部６下面に周縁部上面を当接する位置に周縁部を嵌着固定して張設され、その下方に液体を収容する収容室Ｒを画成している。周縁部の固定方法は接着，溶着等の適宜固着手段を採用しても、或いは突条等を遮蔽壁Ｂ下面に係止させる等の手段を採用しても良い。遮蔽壁Ｂにはスリットを穿設してこの部分を吐出弁30として構成している。スリットは、放射状に複数穿設されている。尚、スリットの形状は放射状に限定されるものではなく、遮蔽壁Ｂが上方へ弾性変形することにより開孔する形態であれば種々採用できる。また、遮蔽壁Ｂの材質もシリコーンゴムに限らず、他のエラストマーを採用することができる。
【００２５】
カバー筒Ｃは合成樹脂により形成され、円筒状の周壁部40上端縁より内方へフランジ部41を延設して構成している。第１段部４上においてフランジ部41の先端を第１段部４と突条７とに挟持させて嵌着固定しており、周壁部40を、上部突条12及び下部突条13の突出幅だけ、容器体周壁３と僅かな隙間をあけて垂下させている。周壁部40の下端部は容器体の底部を押し込むために容器体底面より上方位置まで垂下している。その位置は蛇腹10の長さ等を考慮して適宜選択すれば良い。カバー筒Ｃには、ストッパーＤを嵌合させるための嵌合孔42を穿設している。嵌合孔42は、環状窓11と同じレベルに同じ縦幅で形成され、その横幅はストッパーＤの後述する嵌合部の横幅と同程度の横幅で、嵌合部が着脱自在に嵌合できる如く構成している。
【００２６】
ストッパーＤは合成樹脂製で、蛇腹10の収縮の防止及び開放を司るロック機構の一役を担うものであり、嵌合孔42を介して環状窓11外縁部に嵌合する肉厚な円弧板状の嵌合部50を備え、嵌合部50の両側の外側縁部からそれぞれ嵌合部50と同じ縦幅で、カバー筒Ｃ外周に嵌合する薄肉円弧板状の腕板部51を延設している。また、嵌合部50の上面外側縁部より上方へ嵌合部50の嵌合孔42及び環状窓11内への余分な侵入を防止する係止板部52を立設している。
【００２７】
キャップＥも合成樹脂により形成され、第２段部５上方の容器体周壁３外周に嵌合させた装着筒部60の上端縁より球面状に上方へ突出する頂板61を延設し、頂板61裏面より垂設した棒栓62を吐出孔９に液密に嵌合して着脱自在に装着している。
【００２８】
上記の如く構成した塗布容器１を使用する場合に付いて説明する。図１に示す状態から例えばキャップＥを取り外し、次いでストッパーＤを側方に抜く如く取り外す。この際各腕板部51外面を、例えばそれぞれ親指と人差指で挟んで側方に引けば容易に取り外すことが出来る。次いで図３に示す如く、容器を傾けて容器体Ａ底部を押し込むと蛇腹10が収縮して収容室Ｒ内が加圧され、それに伴って遮蔽壁Ｂが先端側へ膨らむ如く弾性変形するとともにスリットが開き、即ち吐出弁30が開いて、収容室Ｒ内の液は吐出孔９から外部へ吐出される。容器体底部の押圧を解除すれば蛇腹10の弾性復元力で容器体Ａは元の状態に戻り、遮蔽壁Ｂも元の状態に戻り吐出弁30が閉じる。塗布した液は頂板61の上面により引き延ばすことができる。
【００２９】
図４はストッパーＤを容器体Ａの下部に設けた例を示す。容器体Ａは、周壁３上部に第１突条14を、周壁下部に第１突条14と同突出幅で且つ相互に所定幅の間隔をあけて第２突条15及び第３突条16を突周設し、第１突条14の上面を第１段部４とし、第２突条と第３突条との間を環状窓11として構成している。また、容器体Ａを、底部材A1と、中間及び上部材A4との２部材で構成しており、この場合も底部材A1を中間及び上部材A4に嵌着する前に液を底部から充填できる如く構成している。その他の構成は図１の例と同様であるため、同符号を付して説明を省略する。
【００３０】
図５及び図６は図１の例に於いて、ストッパーの形態が異なる例である。容器体Ａは、周壁３の上部に設けた環状窓11の下面に連続する上向き段部20外縁所定位置に上端を開放した第１係止溝21を縦設している。また、カバー筒Ｃは、上部所定位置に横長なスライド溝43を穿設し、スライド溝43の一端より下方へ第２係止溝44を縦設している。第２係止溝44は第１係止溝21の外方に位置している。
【００３１】
ストッパーＤは、水平なスライド溝43の外側に位置する外板53と内側に位置する内板54を、スライド溝43を横方向へスライドする連結板55で連結し、内板54の内面には上向き段部20上面に下面を当接係止する係合突起56を突設している。ストッパーＤは、図６(a) に示す如く、係合突起56を上向き段部20上に当接係止させて蛇腹10が収縮しないロック状態を維持し、また、スライド溝43に沿って回動させた後、図６(b) に示す如く、係合突起56を第１係止溝21に、連結板55を第２係止溝44にそれぞれ嵌合させて下方へ押し下げるとロック状態が解除されて蛇腹10の収縮が可能となる。従って、第１係止溝21及び第２係止溝44は蛇腹が収縮するに充分な深さを必要とする。その他の構成は図１の例と同様であるため、同符号を付して説明を省略する。また、液の吐出作用は図１の例と同様であり、使用後には再びストッパーＤを元の位置に戻しておけば適宜載置位置に塗布容器１を載置しておいても蛇腹10の収縮は起こらずに吐出弁30が開くこともない。尚、本例ではストッパーＤを一箇所設けた例を示したが、この種のストッパーは対向位置に二箇所設けても良い。その場合にはロック時に於ける蛇腹10の収縮をより安定的に防止できる。
【図面の簡単な説明】
【００３２】
【図１】塗布容器の半断面図である。（実施例１）
【図２】ストッパー部分での横断面図である。（実施例１）
【図３】塗布容器の使用を説明する説明図である。（実施例１）
【図４】塗布容器の半断面図である。（実施例２）
【図５】塗布容器の半断面図である。（実施例３）
【図６】ストッパーの作用を説明する説明図である。（実施例３）
【符号の説明】
【００３３】
１…塗布容器
Ａ…容器体（A1…底部材，A2…中間部材，A3…上部材，A4…中間及び上部材）
２…底壁，３…周壁，４…第１段部，５…第２段部，６…下向き段部，７…突条，      ８…頂壁，９…吐出孔，10…蛇腹，11…環状窓，12…上部突条，13…下部突条，
14…第１突条，15…第２突条，16…第３突条，20…上向き段部，21…第１係止溝
Ｒ…収容室
Ｂ…遮蔽壁
30…吐出弁
Ｃ…カバー筒
40…周壁部，41…フランジ部，42…嵌合孔，43…スライド溝，44…第２係止溝
Ｄ…ストッパー
50…嵌合部，51…腕板部，52…係止板部，53…外板，54…内板，55…連結板，
56…係合突起
Ｅ…キャップ
60…装着筒部、61…頂板，62…棒栓
【図１】
2009107667.tif 000003
【図２】
2009107667.tif 000004
【図３】
2009107667.tif 000005
【図４】
2009107667.tif 000006
【図５】
2009107667.tif 000007
【図６】
2009107667.tif 000008